(57)【要約】【課題】湯水の付着による誤判定を回避しながらも、操作性を向上できる浴用操作装置を提供する。【解決手段】並設された複数の静電容量式のタッチスイッチＷと、それら複数のタッチスイッチＷの夫々から出力される静電容量値に基づいて、複数のタッチスイッチＷの夫々についてのタッチ操作の有無を判定する操作判定手段７０とが設けられ、操作判定手段７０が、タッチスイッチＷの静電容量値の変化が水付着により生じないとする条件で定めた基本判定条件に基づいて、タッチ操作の有無を判定する基本判定モードと、タッチスイッチＷの静電容量値の変化が水付着により生じた場合の誤判定を回避するように定めた誤判定回避用判定条件に基づいて、タッチ操作の有無を判定する誤判定回避モードに切換え自在に構成されている。【選択図】図４
2015172459.tif 000002
【特許請求の範囲】
【請求項１】
並設された複数の静電容量式のタッチスイッチと、それら複数の前記タッチスイッチの夫々から出力される静電容量値に基づいて、複数の前記タッチスイッチの夫々についてのタッチ操作の有無を判定する操作判定手段とが設けられた浴用操作装置であって、
前記操作判定手段が、前記タッチスイッチの前記静電容量値の変化が水付着により生じないとする条件で定めた基本判定条件に基づいて、前記タッチ操作の有無を判定する基本判定モードと、前記タッチスイッチの前記静電容量値の変化が水付着により生じた場合の誤判定を回避するように定めた誤判定回避用判定条件に基づいて、前記タッチ操作の有無を判定する誤判定回避モードとに切換え自在に構成されている浴用操作装置。
【請求項２】
前記操作判定手段が、浴室でのシャワー浴が予測されるシャワー浴予測条件が満たされるか否かを判定して、前記シャワー浴予測条件が満たされない場合には、前記基本判定モードになり、前記シャワー浴予測条件が満たされる場合には、前記誤判定回避モードになるように構成されている請求項１記載の浴用操作装置。
【請求項３】
前記基本判定条件が、複数の前記タッチスイッチのうちで、前記静電容量値が前記タッチ操作の有りと判定する設定判定値以上に変化している前記タッチスイッチについては、前記タッチ操作が有りと判定する条件であり、
前記誤判定回避用判定条件が、前記静電容量値が前記設定判定値以上に変化している前記タッチスイッチが複数である場合には、複数の前記タッチスイッチの全てについての前記タッチ操作が無いと判定し、複数の前記タッチスイッチのうちで、前記静電容量値が前記設定判定値以上に変化している前記タッチスイッチが一つだけである場合には、その一つの前記タッチスイッチについての前記タッチ操作が有りと判定する条件である請求項１又は２に記載の浴用操作装置。
【請求項４】
前記基本判定条件が、複数の前記タッチスイッチのうちで、前記静電容量値が前記タッチ操作の有りと判定する設定判定値以上に変化している前記タッチスイッチについては、前記タッチ操作が有りと判定する条件であり、
前記誤判定回避用判定条件が、複数の前記タッチスイッチのうちで、前記静電容量値が前記設定判定値以上に変化している変化時間が誤判定回避用時間以上である前記タッチスイッチについては、前記タッチ操作が有りと判定する条件である請求項１又は２に記載の浴用操作装置。
【請求項５】
前記操作判定手段が、前記浴室に給湯する給湯器の単位時間当たりの給湯量が設定閾値以上の場合には、前記シャワー浴予測条件が満たされたと判定するように構成されている請求項２〜４のいずれか１項に記載の浴用操作装置。
【請求項６】
前記浴室に給湯する給湯器が、浴槽に設定目標温度の湯を設定目標給湯量又は目標設定水位に給湯する自動湯張運転を実行するように構成され、
前記操作判定手段が、前記給湯器が前記自動湯張運転の実行後から設定時間が経過するまでの間に給湯する場合には、前記シャワー浴予測条件が満たされたと判定するように構成されている請求項２〜４のいずれか１項に記載の浴用操作装置。
【請求項７】
前記浴室及びその他の箇所に給湯する給湯器に対するメインリモコン及び風呂リモコンが、目標給湯温度を設定する優先状態を切換え自在に構成され、
前記風呂リモコンに、複数の前記タッチスイッチ及び前記操作判定手段が装備され、
前記操作判定手段が、前記風呂リモコンに前記優先状態が切換えられているときに、前記給湯器が給湯を行う場合には、前記シャワー浴予測条件が満たされたと判定するように構成されている請求項２〜４のいずれか１項に記載の浴用操作装置。
【発明の詳細な説明】
【技術分野】
【０００１】
本発明は、並設された複数の静電容量式のタッチスイッチと、それら複数のタッチスイッチの夫々から出力される静電容量値に基づいて、複数の前記タッチスイッチの夫々についてのタッチ操作の有無を判定する操作判定手段とが設けられた浴用操作装置に関する。
【背景技術】
【０００２】
かかる浴用操作装置は、例えば、浴室内の給湯栓やシャワー栓に給湯する給湯器に対する風呂リモコンを構成するのに用いられることになり、風呂リモコンは浴室内に設置されることになる。その他、浴用操作装置は、浴室暖房乾燥器のリモコンや浴室内に設置したテレビのリモコンを構成するのに用いることが考えられ、これらのリモコンも、浴室内に設置されることになる。
【０００３】
浴用操作装置の従来例として、一対のタッチスイッチを一組として、複数のスイッチ組を設け、各スイッチ組の一対のタッチスイッチの静電容量値の差を求めて、求めた許容静電容量値の差に基づいて、一対のタッチスイッチのいずれもがタッチ操作されていない状態、一対のタッチスイッチの一方がタッチ操作されている状態、及び、一対のタッチスイッチの他方がタッチ操作されている状態のいずれであるかを判別するように構成され、そして、一対のタッチスイッチのいずれかがタッチ操作されているスイッチ組が複数存在する場合には、タッチ操作が行われていないと判定するようにしたものがある（例えば、特許文献１参照）。
【０００４】
すなわち、特許文献１の浴用操作装置は、浴用操作装置のタッチ操作を行う操作面に湯水が付着すると、タッチスイッチの静電容量値が変化することになり、そして、シャワー浴を行うことにより湯水が操作面に付着する場合には、複数のタッチスイッチに対応する領域に亘って湯水が付着することになることに鑑みて、一対のタッチスイッチのいずれかがタッチ操作されているスイッチ組が複数存在する場合には、シャワー浴を行うときの湯水が浴用装置に付着された状態であるとして、タッチ操作が行われていないと判定するようにしたものである。
【０００５】
さらに、特許文献１の浴用操作装置は、一つのスイッチ組の一対のタッチスイッチのいずれかがタッチ操作されていると判定する状態であっても、静電容量値の差の時間的積分値を求めて、時間的積分値が設定閾値よりも大きいときには、タッチ操作が行われたと判定し、時間的積分値が設定閾値よりも小さいときには、一対のタッチスイッチに対するタッチ操作が行われていないと判定するように構成されている。
【０００６】
すなわち、浴用操作装置のタッチ操作を行う操作面に付着した湯水は直ぐに流れ落ちることに鑑みて、時間的積分値が設定閾値よりも小さいときには、一対のタッチスイッチに対する操作が行われていないと判定するようにしたものである。
【０００７】
以上の通り、特許文献１の浴用操作装置は、一対のタッチスイッチのいずれかがタッチ操作されているスイッチ組が複数存在する場合や、静電容量値の差の時間的積分値が設定閾値よりも小さい場合には、タッチ操作なしと判定するようにしたものである。
【０００８】
つまり、特許文献１の浴用操作装置は、一対のタッチスイッチを一組として、複数のスイッチ組を設け、各スイッチ組の一対のタッチスイッチの静電容量値の差を求める形態であるため、操作判定手段が、複数のタッチスイッチ夫々から出力される静電容量値に基づいて、各タッチスイッチの夫々についてのタッチ操作の有無を判定する構成ではなないが、シャワー浴を行う際の湯水の付着による誤判定を回避する技術が記載されている。
【先行技術文献】
【特許文献】
【０００９】
【特許文献１】特開２０１２−２４３０７２号公報
【発明の概要】
【発明が解決しようとする課題】
【００１０】
操作判定手段が、複数のタッチスイッチの夫々から出力される静電容量値に基づいて、各タッチスイッチの夫々についてのタッチ操作の有無を判定する際に、特許文献１の技術を用いて、シャワー浴を行う際の湯水の付着による誤判定を回避することが考えられる。
【００１１】
すなわち、操作判定手段は、複数のタッチスイッチのうちで、静電容量値がタッチ操作の有りと判定する設定判定値以上に変化しているタッチスイッチについては、タッチ操作が有りと判定することになるが、誤判定を回避する第１の形態として、操作判定手段が、静電容量値が設定判定値以上に変化しているタッチスイッチが複数存在する場合には、複数のタッチスイッチの全てについてのタッチ操作が無いと判定するように構成することが考えられる。
【００１２】
また、誤判定を回避する第２の形態として、操作判定手段が、複数のタッチスイッチのうちで、静電容量値が設定判定値以上に変化している変化時間が誤判定回避用時間以上であるタッチスイッチについては、タッチ操作が有りと判定するように構成することが考えられる。
【００１３】
つまり、浴用操作装置のタッチ操作を行う操作面に湯水が付着して、静電容量値が設定判定値以上に変化しても、付着した湯水は直ちに流れ落ちることになるため、静電容量値が設定判定値以上に変化している変化時間が誤判定回避用時間以上にならないことに鑑みて、静電容量値が設定判定値以上に変化している変化時間が誤判定回避用時間以上であるタッチスイッチについて、タッチ操作が有りと判定するようにすることが考えられる。
尚、第１の形態及び第２の形態は、各別に適用できるものであるが、併用する形態で適用することも考えられる。
【００１４】
しかしながら、誤判定を回避するための第１の形態及び第２の形態は、操作性が低下するものであり、改善が望まれる。
すなわち、例えば、使用者が手指を操作面に沿わせる形態でタッチ操作すると、手指の指先に対応して位置する操作対象のタッチスイッチの静電容量値に加えて、手指の指先から離れた指部分に対応して位置するタッチスイッチの静電容量値も変化して、操作対象のタッチスイッチに加えて、隣接するタッチスイッチの静電容量値が設定判定値以上に変化する虞があり、このような場合には、第１形態においては、タッチ操作が無いと判定されることになる。
【００１５】
ちなみに、静電容量式のタッチセンサは、タッチ操作されなくても、手指が近づくことにより静電容量値が変化するものであるため、上述の如く、操作対象のタッチスイッチに加えて、隣接するタッチスイッチの静電容量値が設定判定値以上に変化する虞があり、このような場合には、第１形態においては、タッチ操作が無いと判定されることになるのである。
【００１６】
しかしながら、使用者のタッチ操作によって、操作対象のタッチスイッチに加えて、隣接するタッチスイッチについてタッチ操作が有りとなる場合、つまり、使用者のタッチ操作によって、複数のタッチスイッチについてタッチ操作が有りとなる場合においては、タッチ操作を有効なタッチ操作として処理することが望まれるが、第１の形態の場合には、タッチ操作が無いと判定するものであるため、タッチ操作を有効なタッチ操作として処理することができないものとなる。
【００１７】
説明を加えると、複数のタッチスイッチについてタッチ操作が有りとなる場合には、例えば、適正なタッチ操作でないことを、音声案内や表示画面にて報知させて、適正なタッチ操作を促すことや、複数のタッチスイッチのうちで優先すべきタッチスイッチが存在するときには、そのタッチスイッチのタッチ操作のみを有効にする等、複数のタッチスイッチについてタッチ操作が有りとなる場合にも、タッチ操作を有効なタッチ操作として処理することが望まれるが、第１の形態の場合には、タッチ操作が無いと判定するものであるため、タッチ操作を有効なタッチ操作として処理することができない結果、操作性が低下するものとなる虞があった。
【００１８】
ちなみに、隣接する複数のタッチスイッチの静電容量値が設定判定値以上に変化する操作形態としては、使用者が手指を操作面に沿わせる形態でタッチ操作する場合の他に、例えば、隣接する２つのタッチスイッチの間に相当する箇所を指先にてタッチ操作する場合が考えられる。
【００１９】
また、第２の形態においては、使用者のタッチ操作を行う時間が短いと、使用者によるタッチ操作であるにも拘わらず、タッチ操作が行われていないと誤判定されることになるため、使用者は誤判定回避用時間以上に亘ってタッチ操作を行う必要があり、操作性が低下することになる。
【００２０】
つまり、本来は、使用者はタッチスイッチを瞬間的にタッチ操作すればよいにも拘わらず、誤判定回避用時間以上に亘ってタッチ操作を行う必要があり、操作性が低下することになる。
【００２１】
以上の通り、操作判定手段が、複数のタッチスイッチの夫々から出力される静電容量値に基づいて、各タッチスイッチの夫々についてのタッチ操作の有無を判定する際に、特許文献１の技術を用いて、シャワー浴を行う際の湯水の付着による誤判定を回避する場合には、操作性が低下するものであり、改善が望まれるものであった。
【００２２】
本発明は、上記実状に鑑みて為されたものであって、その目的は、湯水の付着による誤判定を回避しながらも、操作性を向上できる浴用操作装置を提供する点にある。
【課題を解決するための手段】
【００２３】
本発明の浴用操作装置は、並設された複数の静電容量式のタッチスイッチと、それら複数のタッチスイッチの夫々から出力される静電容量値に基づいて、複数の前記タッチスイッチの夫々についてのタッチ操作の有無を判定する操作判定手段とが設けられたものであって、その第１特徴構成は、
前記操作判定手段が、前記タッチスイッチの前記静電容量値の変化が水付着により生じないとする条件で定めた基本判定条件に基づいて、前記タッチ操作の有無を判定する基本判定モードと、前記タッチスイッチの前記静電容量値の変化が水付着により生じた場合の誤判定を回避するように定めた誤判定回避用判定条件に基づいて、前記タッチ操作の有無を判定する誤判定回避モードとに切換え自在に構成されている点を特徴とする。
【００２４】
すなわち、浴用操作装置のタッチ操作を行う操作面に湯水が付着するのは、実質的には、浴室内にてシャワーを浴びるときに限定できるものであるから、浴室内にてシャワーを浴びるときには、誤判定回避モードに切換え、その他のときには、基本判定モードに切換えるようにする。
【００２５】
そして、基本判定モードにおいては、湯水の付着による誤判定を回避する必要がないから、タッチスイッチの静電容量値の変化は使用者のタッチ操作であるとする条件で、基本判定条件を定めることができることになる。
すなわち、基本判定条件を、例えば、複数のタッチスイッチのうちで、静電容量値がタッチ操作の有りと判定する設定判定値以上に変化しているタッチスイッチについては、タッチ操作が有りと判定する条件に定めることができ、使用者のタッチ操作が行われたタッチスイッチを、タッチ操作が有りと的確に判定できる。
【００２６】
また、誤判定回避モードにおいては、湯水の付着による誤判定を適切に回避できるようにする条件で、誤判定回避用判定条件を定めることができる。
すなわち、誤判定回避用判定条件を、例えば、静電容量値が設定判定値以上に変化しているタッチスイッチが複数である場合には、複数のタッチスイッチの全てについてのタッチ操作が無いと判定し、複数のタッチスイッチのうちで、静電容量値が設定判定値以上に変化しているタッチスイッチが一つである場合には、そのタッチスイッチについてのタッチ操作が有りと判定する条件に定めることができ、湯水の付着による誤判定を適切に回避できる。
【００２７】
つまり、基本判定モードと誤判定回避モードとに切換えるものであるから、基本判定条件を、使用者によるタッチ操作を良好に判定することができる条件に設定して、使用者によるタッチ操作を適切に判定し、誤判定回避用判定条件を、湯水が付着しても誤判定を起さないような条件に設定して、湯水の付着による誤判定を適切に回避するのである。
【００２８】
したがって、誤判定回避モードにおいては、誤判定の発生を回避する必要上、操作性が低下することは否めないものの、基本判定モードにおいては、湯水付着による誤判定を回避する制約をうけないため、操作性を向上させることができるのであり、全体としては、湯水の付着による誤判定を回避しながらも、操作性を向上できるのである。
【００２９】
要するに、本発明の第１特徴構成によれば、湯水の付着による誤判定を回避しながらも、操作性を向上できる浴用操作装置を提供できる。
【００３０】
本発明の浴用操作装置の第２特徴構成は、上記第１特徴構成に加えて、
前記操作判定手段が、浴室でのシャワー浴が予測されるシャワー浴予測条件が満たされるか否かを判定して、前記シャワー浴予測条件が満たされない場合には、前記基本判定モードになり、前記シャワー浴予測条件が満たされる場合には、前記誤判定回避モードになるように構成されている点を特徴とする。
【００３１】
すなわち、浴室でのシャワー浴が予測されるシャワー浴予測条件が満たされない場合には、操作判定手段が基本判定モードに自動的に切換り、浴室でのシャワー浴が予測されるシャワー浴予測条件が満たされる場合には、操作判定手段が誤判定回避モードに自動的に切換る。
【００３２】
このように、操作判定手段が、基本判定モードと誤判定回避モードとに自動的に切換るものであるから、操作判定手段を基本判定モードと誤判定回避モードとに切換える特別な操作を要することなしに、湯水の付着による誤判定を回避しながら操作性を向上させることができる。
【００３３】
要するに、本発明の第２特徴構成によれば、上記第１特徴構成による作用効果に加えて、特別な操作を要することなしに、湯水の付着による誤判定を回避しながら操作性の向上を図ることができる。
【００３４】
本発明の浴用操作装置の第３特徴構成は、上記第１又は第２特徴構成に加えて、
前記基本判定条件が、複数の前記タッチスイッチのうちで、前記静電容量値が前記タッチ操作の有りと判定する設定判定値以上に変化している前記タッチスイッチについては、前記タッチ操作が有りと判定する条件であり、
前記誤判定回避用判定条件が、前記静電容量値が前記設定判定値以上に変化している前記タッチスイッチが複数である場合には、複数の前記タッチスイッチの全てについての前記タッチ操作が無いと判定し、複数の前記タッチスイッチのうちで、前記静電容量値が前記設定判定値以上に変化している前記タッチスイッチが一つだけである場合には、その一つの前記タッチスイッチについての前記タッチ操作が有りと判定する条件である点を特徴とする。
【００３５】
すなわち、基本判定モードにおいては、操作対象のタッチスイッチを瞬間的にタッチ操作することにより、基本判定条件に基づいて、操作対象のタッチスイッチについてタッチ操作が有りと判定される。
ちなみに、静電容量値が設定判定値以上に変化しているタッチスイッチが複数である場合にも、そられた複数のタッチスイッチの全てについてのタッチ操作が有りと判定されることになる。
【００３６】
これに対して、誤判定回避モードにおいては、静電容量値が設定判定値以上に変化しているタッチスイッチが複数である場合には、湯水の付着の可能性が高いため、複数のタッチスイッチの全てについてのタッチ操作が無いと判定されることになり、そして、複数のタッチスイッチのうちで、静電容量値が設定判定値以上に変化しているタッチスイッチが一つだけである場合には、使用者によるタッチ操作であるとして、その一つのタッチスイッチについてのタッチ操作が有りと判定されることになる。
【００３７】
したがって、誤判定回避モードにおいては、湯水に付着による誤判定を的確に回避しながら、基本判定モードにおいては、操作対象のタッチスイッチを瞬間的にタッチ操作することにより、操作対象のタッチスイッチについて、タッチ操作が有りと的確に判定されることになり、湯水の付着による誤判定を的確に回避しながらも、操作性を適切に向上させることができる。
【００３８】
要するに、本発明の第３特徴構成によれば、上記第１又は第２特徴構成による作用効果に加えて、湯水の付着による誤判定を的確に回避しながらも、操作性を適切に向上させることができる浴用操作装置を提供できる。
【００３９】
本発明の浴用操作装置の第４特徴構成は、上記第１又は第２特徴構成に加えて、
前記基本判定条件が、複数の前記タッチスイッチのうちで、前記静電容量値が前記タッチ操作の有りと判定する設定判定値以上に変化している前記タッチスイッチについては、前記タッチ操作が有りと判定する条件であり、
前記誤判定回避用判定条件が、複数の前記タッチスイッチのうちで、前記静電容量値が前記設定判定値以上に変化している変化時間が誤判定回避用時間以上である前記タッチスイッチについては、前記タッチ操作が有りと判定する条件である点を特徴とする。
【００４０】
すなわち、基本判定モードにおいては、操作対象のタッチスイッチを瞬間的にタッチ操作することにより、基本判定条件に基づいて、操作対象のタッチスイッチについてタッチ操作が有りと判定される。
ちなみに、静電容量値が設定判定値以上に変化しているタッチスイッチが複数である場合にも、そられた複数のタッチスイッチの全てについてのタッチ操作が有りと判定されることになる。
【００４１】
これに対して、誤判定回避モードにおいては、操作対象のタッチスイッチを誤判定回避用時間以上に亘ってタッチ操作することにより、誤判定回避用判定条件に基づいて、操作対象のタッチスイッチについてタッチ操作が有りと判定される。
つまり、シャワー浴によりタッチスイッチに湯水が付着しても、付着した湯水が直ちに流落ちることになるから、静電容量値が設定判定値以上に変化している変化時間が誤判定回避用時間以上とならないため、湯水付着による誤判定を回避できるのであり、そして、操作対象のタッチスイッチを誤判定回避用時間以上に亘ってタッチ操作することにより、操作対象のタッチスイッチについてタッチ操作が有りと判定されるのである。
【００４２】
したがって、誤判定回避モードにおいては、湯水に付着による誤判定を的確に回避しながら、基本判定モードにおいては、操作対象のタッチスイッチを瞬間的にタッチ操作することにより、操作対象のタッチスイッチについて、タッチ操作が有りと的確に判定されることになり、湯水の付着による誤判定を的確に回避しながらも、操作性を適切に向上させることができる。
【００４３】
要するに、本発明の第４特徴構成によれば、上記第１又は第２特徴構成による作用効果に加えて、湯水の付着による誤判定を的確に回避しながらも、操作性を適切に向上させることができる浴用操作装置を提供できる。
【００４４】
本発明の浴用操作装置の第５特徴構成は、上記第２〜第４特徴構成のいずれかに加えて、
前記操作判定手段が、前記浴室に給湯する給湯器の単位時間当たりの給湯量が設定閾値以上の場合には、前記シャワー浴予測条件が満たされたと判定するように構成されている点を特徴とする。
【００４５】
すなわち、浴室に給湯する給湯器の単位時間当たりの給湯量が設定閾値以上の場合には、シャワー浴が行われている可能性が高いため、操作判定手段が、シャワー浴予測条件が満たされたと判別して、誤判定回避モードに切換わり、給湯器の単位時間当たりの給湯量が設定閾値未満の場合には、シャワー浴が行われている可能性が低いため、操作判定手段が、シャワー浴予測条件が満たされていないと判別して、基本判定モードに切換わることになる。
【００４６】
したがって、給湯器の単位時間当たりの給湯量が設定閾値以上であるか否かを判定する簡素な構成にて、基本判定モードと誤判定回避モードとに切換えることができる。
【００４７】
要するに、本発明の第５特徴構成によれば、上記第２〜第４特徴構成のいずれかによる作用効果に加えて、簡素な構成にて、基本判定モードと誤判定回避モードとに切換えることができる浴用操作装置を提供できる。
【００４８】
本発明の浴用操作装置の第６特徴構成は、上記第２〜第４特徴構成のいずれかに加えて、
前記浴室に給湯する給湯器が、浴槽に設定目標温度の湯を設定目標給湯量又は目標設定水位に給湯する自動湯張運転を実行するように構成され、
前記操作判定手段が、前記給湯器が前記自動湯張運転の実行後から設定時間が経過するまでの間に給湯する場合には、前記シャワー浴予測条件が満たされたと判定するように構成されている点を特徴とする。
【００４９】
すなわち、給湯器が自動湯張運転の実行後から設定時間が経過するまでの間に給湯する場合には、シャワー浴が行われている可能性が高いため、操作判定手段が、シャワー浴予測条件が満たされたと判別して、誤判定回避モードに切換り、自動湯張運転の実行後から設定時間が経過するまでの間であっても、給湯器が給湯していない場合や、自動湯張運転の実行後からの経過時間が設定時間を外れている場合には、シャワー浴が行われている可能性が低いため、操作判定手段が、シャワー浴予測条件が満たされていないとして、基本判定モードに切換ることになる。
【００５０】
そして、給湯器が自動湯張運転を実行した後から設定時間が経過するまでの間に給湯する場合は、シャワー浴が行われている可能性がかなり高いため、基本判定モードと誤判定回避モードとを適切に切換えることができる。
ちなみに、自動湯張運転の実行後からの設定時間は、例えば、１５〜６０分程度に設定することが好ましい。
【００５１】
要するに、本発明の第６特徴構成によれば、上記第２〜第４特徴構成のいずれかによる作用効果に加えて、基本判定モードと誤判定回避モードとを適切に切換えることができる浴用操作装置を提供できる。
【００５２】
本発明の浴用操作装置の第７特徴構成は、上記第２〜第４特徴構成のいずれかに加えて、
前記浴室及びその他の箇所に給湯する給湯器に対するメインリモコン及び風呂リモコンが、目標給湯温度を設定する優先状態を切換え自在に構成され、
前記風呂リモコンに、複数の前記タッチスイッチ及び前記操作判定手段が装備され、
前記操作判定手段が、前記風呂リモコンに前記優先状態が切換えられているときに、前記給湯器が給湯を行う場合には、前記シャワー浴予測条件が満たされたと判定するように構成されている点を特徴とする。
【００５３】
すなわち、台所等に設置されるメインリモコンと浴室内に設置される風呂リモコンとのうちで、風呂リモコンに優先状態が切換えられているときに、給湯器が給湯を行う場合には、シャワー浴が行われている可能性が高いため、操作判定手段が、誤判定回避モードに切換ることになり、風呂リモコンに優先状態が切換えられていても、給湯器が給湯しない場合や、メインリモコンに優先状態が切換えられている場合には、シャワー浴が行われている可能性が低いため、操作判定手段が、シャワー浴予測条件が満たされていないと判別して、基本判定モードに切換ることになる。
【００５４】
そして、風呂リモコンが優先状態に切換えられ、しかも、給湯器が給湯を行う場合は、シャワー浴が行われている可能性がかなり高いため、基本判定モードと誤判定回避モードとを適切に切換えることができる。
【００５５】
要するに、本発明の第７特徴構成によれば、上記第２〜第４特徴構成のいずれかによる作用効果に加えて、基本判定モードと誤判定回避モードとを適切に切換えることができる浴用操作装置を提供できる。
【図面の簡単な説明】
【００５６】
【図１】風呂設備の全体構成を示す概略図
【図２】風呂リモコンの正面図
【図３】風呂リモコンの一部切欠側面図
【図４】風呂リモコンの制御構成を示すブロック図
【発明を実施するための形態】
【００５７】
〔第１実施形態〕
以下、本発明の実施形態を図面に基づいて説明する。
（風呂設備の全体構成）
図１に示すように、風呂設備は、温度調整した湯水を湯水消費箇所に供給する湯水供給処理等を行う給湯器Ｇと、その給湯器Ｇの運転を制御する運転制御部Ｃと、その運転制御部Ｃに各種制御指令を指令するメインリモコンＲ１及び風呂リモコンＲ２とを備えて構成されている。
ちなみに、メインリモコンＲ１は、台所や洗面所等に設けられ、風呂リモコンＲ２は、浴槽Ｙが設置された浴室Ｄの内部に設けられる。
【００５８】
給湯器Ｇは、一般家庭用の水道管に接続された給水路１からの水が通流する給湯用熱交換器Ｎ１をガス燃焼式の給湯用バーナｇ１によって加熱して、給湯路３を通して加熱後の湯水を湯水消費箇所に供給する給湯用加熱部Ａ、及び、熱消費端末Ｕに循環供給する温水が通流する循環用熱交換器Ｎ２をガス燃焼式の加熱用バーナｇ２によって加熱する温水循環用加熱部Ｂを備えて構成されている。
また、温水循環用加熱部Ｂにて加熱された温水にて、浴槽Ｙの内部の浴槽水を追焚きできるように構成されており、その詳細は後述する。
【００５９】
温度調整された湯水が供給される湯水消費箇所としては、台所等に設置した一般給湯用の給湯栓４、浴室Ｄの浴槽Ｙ、及び、浴室Ｄの内部に設置した一般給湯用の浴用給湯栓５であり、浴用給湯栓５は、シャワーヘッド６に湯水を供給する状態と出湯管７に湯水を供給する状態とに切換え自在に構成されている。
また、熱消費端末Ｕは、例えば、浴室Ｄの天井部に設ける浴室暖房乾燥機、浴室Ｄの床部等に設置する床暖房装置等である。
【００６０】
給湯用加熱部Ａに装備された給湯用バーナｇ１及び温水循環用加熱部Ｂに装備された加熱用バーナｇ２には、一般家庭用の燃料ガスを供給するガス供給路Ｋが接続され、そのガス供給路Ｋには、燃料ガス供給量を調整する電磁式のガス比例弁１０、燃料ガスの供給を断続する断続弁１１が設けられている。
また、給湯用加熱部Ａ及び温水循環用加熱部Ｂには、給湯用バーナｇ１や加熱用バーナｇ２に燃焼用空気を供給する燃焼用ファン１２が設けられている。
尚、図示を省略するが、給湯用バーナｇ１や加熱用バーナｇ２の近くには、点火用のイグナイタ及び着火を検出するフレームロッドが設けられることになる。
【００６１】
（一般給湯用構成）
給水路１には、給水温度を検出する給水サ−ミスタ１３と給水量を検出する水量センサ１４とが設けられ、給水路１における給水サ−ミスタ１３及び水量センサ１４よりも下流側の箇所が、給湯用熱交換器Ｎ１を迂回する給水バイパス路１５にて、給湯路３に接続されている。
【００６２】
給湯路３と給水バイパス路１５との接続箇所には、給湯用熱交換器Ｎ１からの湯量と給水バイパス路１５からの水量との混合比を調整するミキシング弁１７が設けられ、給湯路３における給水バイパス路１５の接続箇所よりも上流側には、給湯用熱交換器Ｎ１から送出される湯水の温度を検出する出湯サーミスタ１６が設けられ、給湯路３における給水バイパス路１５の接続箇所よりも下流側には、上流側から順に、ミキシング弁１７にて混合された後の湯水の温度を検出する給湯サーミスタ１８、湯水の量を調整する水比例弁１９、一般給湯の割込みを検出する割込み検出用水量センサ２０が設けられている。
【００６３】
（温水循環用構成）
熱消費端末Ｕの温水出口部と温水循環用加熱部Ｂの循環用熱交換器Ｎ２の入口部とが、温水循環用戻路２１にて接続され、循環用熱交換器Ｎ２の温水出口部と熱消費端末Ｕの温水入口部とが、温水循環用往路２２にて接続されている。
温水循環用戻路２１には、膨張タンク２３が介装され、温水循環用戻路２１における膨張タンク２３よりも下流側の箇所には、膨張タンク２３内の温水を吸引して温水循環用加熱部Ｂの循環用熱交換器Ｎ２に送出する温水循環用ポンプ２４が設けられている。
【００６４】
したがって、温水循環用ポンプ２４の通流作用により、温水循環用往路２２及び温水循環用戻路２１を通して、循環用熱交換器Ｎ２と熱消費端末Ｕとに亘って温水が循環されて、循環用熱交換器Ｎ２にて加熱された温水が熱消費端末Ｕに循環供給されるように構成されている。
【００６５】
温水循環用往路２２には、循環用熱交換器Ｎ２にて加熱されたのちの温水の温度を検出する循環温水サーミスタ２５、及び、熱消費端末Ｕへの温水の供給を断続する端末用熱動弁２６が設けられている。
【００６６】
（追焚用構成）
温水循環用往路２２における循環温水サーミスタ２５よりも下流側箇所と温水循環用戻路２１における膨張タンク２３よりも上流側箇所とが、熱消費端末Ｕを迂回させて温水を循環させるための温水循環バイパス路２７にて接続され、その温水循環バイパス路２７には、浴槽Ｙ内の浴槽水を追焚するための追焚用熱交換器２８と追焚用熱動弁２９とが設けられている。
【００６７】
追焚用熱交換器２８の湯水出口部と浴槽Ｙの側壁部下方側に装備した循環アダプタ３０とが、浴槽用往路３１にて接続され、循環アダプタ３０と追焚用熱交換器２８の湯水入口部とが、浴槽用戻路３２にて接続され、その浴槽用戻路３２に、浴槽Ｙの湯水を吸引して追焚用熱交換器２８に送出する追焚用循環ポンプ３３が設けられている。
【００６８】
詳しくは、浴槽用往路３１が、給湯器Ｇの内部に位置する浴槽往内管３１ａと、給湯器Ｇから外部に延出されて、循環アダプタ３０に接続される浴槽往外管３１ｂとから構成され、また、浴槽用戻路３２が、給湯器Ｇの内部に位置する浴槽戻内管３２ａと、給湯器Ｇから外部に延出されて、循環アダプタ３０に接続される浴槽戻外管３２ｂとから構成されている。
【００６９】
したがって、端末用熱動弁２６を閉弁し且つ追焚用熱動弁２９を開弁した状態で温水循環用ポンプ２４を作動させることにより、循環用熱交換器Ｎ２にて加熱された湯水が、熱消費端末Ｕを迂回した状態で追焚用熱交換器２８に循環供給されることになる。
そして、その温水循環状態において、追焚用循環ポンプ３３を作動させることにより、浴槽Ｙの内部に貯留された浴槽水を、浴槽用往路３１及び浴槽用戻路３２を通して追焚用熱交換器２８に循環供給して、追焚用熱交換器２８にて加熱する、いわゆる、浴槽Ｙ内の浴槽水の追焚きを行えるように構成されている。
【００７０】
浴槽用戻路３２の浴槽戻内管３２ａには、上流側から順に、浴槽用戻路３２の内部の湯水の圧力を検出することによって浴槽内水位を検出する水位センサ３４、浴槽Ｙから戻ってくる浴槽水の温度、つまり浴槽水戻温度を検出する浴槽戻温サーミスタ３５、浴槽用戻路３２を開閉する電磁式の風呂２方弁３６、上述の追焚用循環ポンプ３３、水流スイッチ３７が設けられている。
また、浴槽用往路３１の浴槽往内管３１ａには、浴槽Ｙに供給される湯水の温度を検出する浴槽往温サーミスタ３８が設けられている。
【００７１】
（湯張用構成）
給湯路３における水比例弁１９と割込み検出用水量センサ２０との間の箇所から、給湯路３からの湯水を浴槽Ｙに供給するための湯張路４１が分岐されて、その湯張路４１が、浴槽用戻路３２における浴槽戻内管３２ａの追焚用循環ポンプ３３と水流スイッチ３７との間に相当する箇所に接続されている。
この湯張路４１には、上流側から順に、湯張路４１を開閉する湯張電磁弁４２と、湯張逆止弁４３とが設けられている。
【００７２】
また、湯張路４１における湯張電磁弁４２と湯張逆止弁４３との間には、湯張路４１に連通する空気層形成用ホッパ４４が介装されている。
空気層形成用ホッパ４４には、湯水を排水する排水路４５と、その排水路４５を開閉する電磁式の排水弁４６とが設けられ、排水路４５の端部が、浴槽用戻路３２の浴槽戻内管３２ａにおける風呂２方弁３６と追焚用循環ポンプ３３との間の箇所に接続されている。
尚、空気層形成用ホッパ４４の構成及びその機能は周知であるので、本実施形態においては詳細な説明を省略する。
【００７３】
したがって、湯張電磁弁４２を開弁すると、給湯用加熱部Ａにて加熱されたのち湯張路４１を通して供給される湯水が、浴槽用戻路３２に供給され、浴槽用戻路３２に供給され湯水が、浴槽Ｙの存在側と追焚用熱交換器２８の存在側の両側に向けて分流する形態で通流することになる。つまり、湯張路４１を通して供給される湯水が、浴槽用往路３１及び浴槽用戻路３２の両方を通して浴槽Ｙに供給されることになる。
【００７４】
（熱源機の運転制御）
給湯器Ｇは、上記した機器類を装備するものであって、上述の説明から明らかな如く、加熱した湯水を給湯栓４及び浴用給湯栓５に供給する一般給湯処理、加熱した湯水を浴槽Ｙに供給する湯張処理、加熱した温水を熱消費端末Ｕに循環供給する端末加熱処理、及び、浴槽Ｙ内の浴槽水を加熱する追焚処理を行うように構成されている。
【００７５】
すなわち、運転制御部Ｃが、メインリモコンＲ１や風呂リモコンＲ２の指令情報、及び、給湯器Ｇの内部に装備したセンサ類の検出情報に基づいて、給湯器Ｇの内部に装備した機器類を作動させて、一般給湯処理に対応する一般給湯運転、湯張処理に対応する自動湯張運転、自動湯張運転に続いて行う保温運転、端末加熱処理に対応する端末加熱運転、及び、追焚処理に対応する追焚運転等を実行するように構成されており、その詳細は後述する。
【００７６】
（リモコンの構成）
メインリモコンＲ１及び風呂リモコンＲ２は、同様に構成されるものであり、以下、風呂リモコンＲ２を代表にして説明する。
図２に示すように、風呂リモコンＲ２には、運転の開始と停止を指令する運転スイッチ５０、自動湯張運転指令を指令する自動スイッチ５１、呼出しスイッチ５２、目標給湯温度を設定する優先状態をメインリモコンＲ１との間で切換える優先スイッチ５３、メニュースイッチ５４、４つの選択スイッチ５５、選択スイッチ５５にて選択された内容を決定する決定スイッチ５６、及び、戻りスイッチ５７等が並設され、また、選択スイッチ５５にて選択する内容等の種々の情報を表示する液晶式の表示部５８が設けられている。
【００７７】
また、運転スイッチ５０にて運転の開始が指令された運転状態であることを示す運転ランプ５９、及び、優先スイッチ５３にて優先状態に切換えられていることを示す優先ランプ６０が、運転スイッチ５０及び優先スイッチ５３に隣接して設けられ、また、各種の案内情報を出力する音声出力部６１が内蔵されている。
【００７８】
メニュースイッチ５４は、押し操作されるごとに、一般給湯温度を設定する給湯温度設定モード、設定湯張温度としての目標湯張温度を設定する浴槽温度設定モード、浴槽Ｙに湯張する設定水位としての目標水位を設定する水位設定モード、及び、運転開始指令モードを変更するように構成されている。
ちなみに、運転開始指令モードでは、追焚運転の開始や端末加熱運転の開始等を指令することになる。
【００７９】
すなわち、メニュースイッチ５４の操作によって変更される複数のモードについての選択内容が、表示部５８に表示され、表示部５８に表示された選択内容を選択スイッチ５５にて選択して、決定スイッチ５６を操作することにより、例えば、給湯温度設定モードにて一般給湯温度を設定する等、種々の設定を行えるように構成されている。
尚、戻りスイッチ５７は、操作ミス等が生じたときに押し操作して、元の状態に戻す際に使用されることになる。
【００８０】
ちなみに、風呂リモコンＲ２に装備する複数スイッチ、つまり、運転スイッチ５０、自動スイッチ５１、呼出しスイッチ５２、優先スイッチ５３、メニュースイッチ５４、４つの選択スイッチ５５、決定スイッチ５６、及び、戻りスイッチ５７等は、静電容量式のタッチスイッチＷを用いて構成されるものであり、その詳細は後述する。
【００８１】
音声出力部６１は、例えば、一般給湯温度を設定する給湯温度設定モードにて、目標給湯温度を変更した際に、「給湯温度が変更されました」等の報知情報を音声にて出力することになり、また、後述の如く、複数のタッチスイッチＷが操作された際には、「操作ミスがありましたので、操作をやり直してください」等の操作案内情報を出力することになる。
ちなみに、風呂リモコンＲ２と同様に構成されるメインリモコンＲ１では、自動スイッチ５１の指令により、自動湯張運転を実行した際に、自動湯張運転が終了すると、「湯張運転が終了しました」等の報知情報が音声にて出力されることになる。
【００８２】
（運転制御の詳細）
運転制御部Ｃは、運転スイッチ５０がタッチ操作されると制御可能な状態になり、給湯栓４や浴用給湯栓５が開操作されると、一般給湯運転を実行する。
また、運転制御部Ｃは、自動スイッチ５１がタッチ操作されて自動湯張運転が指令されると、浴槽Ｙ内に湯を供給して目標湯張温度で目標水位の湯張を完了する自動湯張運転を実行するように構成されている。
【００８３】
また、運転制御部Ｃは、自動湯張運転を終了した後には、自動スイッチ５１が再びタッチ操作されるまでの間は、キープ用運転モード中であるとして、設定された追焚運転周期（例えば、２４分）毎に、浴槽Ｙ内の浴槽水が設定湯張温度になるように、浴槽水を追焚する保温運転を実行するように構成されている。
【００８４】
また、運転制御部Ｃは、キープ用運転モード中において、追焚運転の開始が指令された場合や、自動湯張運転の終了後のキープ用運転モードが停止された状態において、追焚運転の開始が指令された場合には、追焚運転を実行するように構成されている。
【００８５】
また、運転制御部Ｃは、端末加熱運転の開始が指令されると、端末加熱運転を実行するように構成さている。
【００８６】
以下、一般給湯運転、自動湯張運転、キープ用湯張運転、追焚運転、及び、端末加熱運転の各運転について説明を加える。
（一般給湯運転）
運転制御部Ｃは、給湯栓４や浴用給湯栓５が開かれて水量センサ１４による検出水量が所定量以上になると、一般給湯運転を実行する。
一般給湯運転では、給湯用加熱部Ａにおける燃焼用ファン１２を駆動した後、断続弁１１を開弁してイグナイタにより給湯用バーナｇ１に点火し、また、設定された一般給湯温度（目標給湯温度）、水量センサ１４の検出水量、給水サ−ミスタ１３の検出水温及び給湯サーミスタ１８の検出温度等に基づいて、給湯サーミスタ１８の検出温度が設定された一般給湯温度（目標給湯温度）になるように、ガス比例弁１０の開度及びミキシング弁１７の開度を調節することになる。
【００８７】
また、水量センサ１４により通水が検出されなくなると、断続弁１１を閉弁して給湯用バーナｇ１の燃焼を停止し、燃焼用ファン１２も停止して一般給湯運転を終了する。
【００８８】
（端末加熱運転）
運転制御部Ｃは、端末加熱運転の開始が指令されると、端末加熱運転を実行する。
この端末加熱運転では、端末用熱動弁２６を開弁し且つ追焚用熱動弁２９を閉弁した状態で温水循環用ポンプ２４を作動させて、温水循環用往路２２及び温水循環用戻路２１を通して温水を循環させ、それに併せて、温水循環用加熱部Ｂにおける燃焼用ファン１２を駆動した後、断続弁１１を開弁してイグナイタにより加熱用バーナｇ２に点火し、循環温水サーミスタ２５の検出温度が目標循環温度（例えば７０°Ｃ）になるように、ガス比例弁１０の開度を調節することになる。
【００８９】
（自動湯張運転）
運転制御部Ｃは、自動スイッチ５１がタッチ操作されると、自動湯張運転を実行するように構成されている。
自動湯張運転では、浴槽Ｙに湯を供給する注湯処理を、水位センサ３４の検出水位が目標水位以上になるまで行い、水位センサ３４の検出水位が目標水位以上になると、次に、浴槽水の温度が目標湯張温度になるように追焚する追焚処理を実行した後、自動湯張運転を終了する。
【００９０】
説明を加えると、運転制御部Ｃは、注湯処理では、湯張電磁弁４２を開弁し、且つ、上述の一般給湯運転と同様に給湯用バーナｇ１に点火し、設定された目標湯張温度、水量センサ１４の検出水量、給水サ−ミスタ１３の検出水温及び給湯サーミスタ１８の検出温度などに基づいて、給湯サーミスタ１８の検出温度が目標湯張温度になるように、ガス比例弁１０の開度及びミキシング弁１７の開度を調節し、そして、水位センサ３４の検出水位が目標水位以上になると、湯張電磁弁４２を閉弁し、且つ、給湯用バーナｇ１の燃焼を停止するように構成されている。
【００９１】
また、運転制御部Ｃは、運転制御部Ｃは、注湯処理を終了したときに追焚用循環ポンプ３３を作動させて、浴槽戻温サーミスタ３５の検出温度が目標湯張温度以上の場合は、追焚処理を行う。
追焚処理では、端末用熱動弁２６を閉弁し且つ追焚用熱動弁２９を開弁した状態で温水循環用ポンプ２４及び追焚用循環ポンプ３３を作動させて、浴槽Ｙ内の湯水を浴槽用戻路３２及び浴槽用往路３１を通して循環させ、それに併せて、温水循環用加熱部Ｂにおける燃焼用ファン１２を駆動した後、断続弁１１を開弁してイグナイタにより加熱用バーナｇ２を点火することになり、さらに、浴槽往温サーミスタ３８の検出温度が追焚用設定出湯温度（例えば６０°Ｃ）になるように、ガス比例弁１０の開度を調節することになる。
【００９２】
そして、浴槽戻温サーミスタ３５の検出温度が目標湯張温度以上になると、断続弁１１を閉弁させて加熱用バーナｇ２の燃焼を停止させ、燃焼用ファン１２を停止させて追焚処理を終了する。つまり、自動湯張運転を終了する。
【００９３】
（キープ用湯張運転）
運転制御部Ｃは、自動湯張運転を終了した後のキープ用運転モード中においては、キープ用湯張運転を実行する。
すなわち、追焚運転周期が経過する毎に、追焚用循環ポンプ３３を作動させながら、浴槽Ｙの湯水の温度及び浴槽Ｙの湯水の水位を検出する。
そして、浴槽Ｙの湯水の水位が目標水位よりも低いときは、水位センサ３４の検出水位が目標水位以上になるまで、上述の注湯処理を行い、検出水位が目標水位以上になったときに、浴槽戻温サーミスタ３５の検出温度が目標湯張温度よりも低い場合は、浴槽戻温サーミスタ３５の検出温度が目標湯張温度以上になるまで追焚処理を実行する。
【００９４】
また、追焚運転周期が経過する毎に、浴槽Ｙの湯水の温度及び浴槽Ｙの湯水の水位を検出した結果、浴槽Ｙの湯水の水位が目標水位以上で且つ浴槽Ｙの湯水の温度が目標湯張温度よりも低いときは、浴槽戻温サーミスタ３５の検出温度が目標湯張温度以上になるまで追焚処理を実行する。
ちなみに、判定処理を実行した結果、浴槽Ｙの湯水の水位が目標水位以上で且つ浴槽Ｙの湯水の温度が目標湯張温度以上のときは、当然ながら、特別な処理は実行されない。
【００９５】
（追焚運転）
運転制御部Ｃは、追焚運転の開始が指令されると、追焚運転を実行する。
追焚運転では、先ず追焚用循環ポンプ３３を作動させ、追焚用循環ポンプ３３を作動させてから設定経過時間（例えば、１０秒）経過すると、浴槽戻温サーミスタ３５の検出温度を読み込む。
【００９６】
浴槽戻温サーミスタ３５の検出温度が目標湯張温度よりも低い場合は、上述した追焚処理と同様に、端末用熱動弁２６を閉弁し且つ追焚用熱動弁２９を開弁した状態で温水循環用ポンプ２４及び追焚用循環ポンプ３３を作動させて、浴槽Ｙ内の湯水を浴槽用戻路３２及び浴槽用往路３１を通して循環させ、それに併せて、温水循環用加熱部Ｂにおける燃焼用ファン１２を駆動した後、断続弁１１を開弁してイグナイタにより加熱用バーナｇ２を点火することになり、さらには、浴槽往温サーミスタ３８の検出温度が追焚用設定出湯温度（例えば６０°Ｃ）になるように、ガス比例弁１０の開度を調節して、浴槽水を加熱する。
【００９７】
そして、浴槽戻温サーミスタ３５の検出温度が目標湯張温度以上になると、その時点から設定追加時間（例えば、３０秒）の間、浴槽水の加熱を継続した後、断続弁１１を閉弁させて加熱用バーナｇ２の燃焼を停止させ、燃焼用ファン１２を停止させて追焚運転を終了する。
【００９８】
（風呂リモコンの詳細）
風呂リモコンＲ２は、浴室Ｄの内部に設置される浴用操作装置として機能するものであり、以下、風呂リモコンＲ２について詳述する。
図３に示すように、風呂リモコンＲ２は、上部が開口した本体ケース６５と、本体ケース６５の上部開口を閉じるように本体ケース６５に装着される絶縁性の板状カバー体６６とからなるケーシングを備えている。
【００９９】
そして、ケーシングの内部に、制御基板６７が配備され、板状カバー体６６の内面に、複数のタッチスイッチＷを構成する複数のシート状の電極Ｅが貼付され、複数の電極Ｅの夫々についての静電容量値が各別に制御基板６７に伝達されるように構成されている。
【０１００】
すなわち、板状カバー体６６の表面が、風呂リモコンＲ２の操作面となり、その操作面における複数の電極Ｅに対応する領域が、複数のタッチスイッチＷに対するタッチ操作領域となる。
そして、タッチスイッチＷに対するタッチ操作領域を指先にてタッチ操作すると、電極Ｅと指先との間の静電容量値が増加することになり、このように変化する静電容量値が制御基板６７に伝達されるように構成されている。
【０１０１】
尚、図２においては、複数のタッチスイッチＷの夫々に対するタッチ操作領域を点線にて表示するが、実際には、タッチ操作領域は、板状カバー体６６の表面には表れないものである。
【０１０２】
ちなみに、上述の静電容量値は、タッチスイッチＷに対するタッチ操作領域を指先にてタッチ操作しなくても、手指をタッチ操作領域に近づけるだけで、増加するものであるから、操作領域に対するタッチ操作は、風呂リモコンＲ２の操作面に軽く触れる程度でよいことになる。
【０１０３】
尚、板状カバー体６６には、表示部５８を構成する液晶式表示体や、運転ランプ５９及び優先ランプ６０を構成するＬＥＤが装備されることになるが、本実施形態においては、詳細な説明を省略する。
【０１０４】
図４に示すように、風呂リモコンＲ２の内部には、複数のタッチスイッチＷの静電容量値を検出して出力する入出力回路部６９、この入出力回路部６９から出力される複数のタッチスイッチＷ夫々についての静電容量値に基づいて、複数のタッチスイッチＷ夫々についてのタッチ操作の有無を判定する操作判定手段として機能する主制御部７０、及び、主制御部７０からの通信情報を給湯器Ｇの運転制御部Ｃに通信しかつ運転制御部Ｃからの通信情報を主制御部７０に受け渡す通信制御部７１が、制御基板６７に搭載される状態で設けられている。
【０１０５】
（タッチ操作の判定の詳細）
主制御部７０が、タッチスイッチＷの静電容量値の変化が水付着により生じないとする条件で定めた基本判定条件に基づいて、タッチ操作の有無を判定する基本判定モードと、タッチスイッチＷの静電容量値の変化が水付着により生じた場合の誤判定を回避するように定めた誤判定回避用判定条件に基づいて、タッチ操作の有無を判定する誤判定回避モードとに切換え自在に構成されている。
【０１０６】
すなわち、主制御部７０が、浴室Ｄでのシャワー浴が予測されるシャワー浴予測条件が満たされるか否かを判定して、シャワー浴予測条件が満たされない場合には、基本判定モードになり、シャワー浴予測条件が満たされる場合には、誤判定回避モードになるように構成されており、その詳細は後述する。
【０１０７】
基本判定条件が、複数のタッチスイッチＷのうちで、静電容量値がタッチ操作の有りと判定する設定判定値以上に変化しているタッチスイッチＷについては、タッチ操作が有りと判定する条件に定められている。
ちなみに、設定判定値は、タッチスイッチＷの感度に応じて設定されることになる。
【０１０８】
誤判定回避用判定条件が、静電容量値が設定判定値以上に変化しているタッチスイッチＷが複数である場合には、複数のタッチスイッチＷの全てについてのタッチ操作が無いと判定し、複数のタッチスイッチＷのうちで、静電容量値が設定判定値以上に変化しているタッチスイッチＷが一つだけである場合には、その一つのタッチスイッチＷについてのタッチ操作が有りと判定する条件に定められている。
【０１０９】
具体的には、主制御部７０は、設定周期（例えば、１００ｍｍｓ程度）ごとに、入出力回路部６９にて検出された複数のタッチスイッチＷの静電容量値を読み込むことになる。
そして、基本判定モードにおいて、静電容量値が設定判定値以上に変化しているタッチスイッチＷについて、タッチ操作が有りと判定する。
【０１１０】
また、誤判定回避モードにおいては、静電容量値が設定判定値以上に変化しているタッチスイッチＷが複数存在する場合には、湯水の付着の可能性が高いとして、複数のタッチスイッチＷの全てについてのタッチ操作が無いと判定し、静電容量値が設定判定値以上に変化しているタッチスイッチＷが一つだけである場合には、その一つのタッチスイッチＷについてのタッチ操作が有りと判定するように構成されている。
【０１１１】
ちなみに、基本判定モードにおいては、静電容量値が設定判定値以上に変化している変化時間が設定基準時間以上であるタッチスイッチＷが複数である場合にも、そられた複数のタッチスイッチＷの全てについてのタッチ操作が有りと判定することになる。
このように複数のタッチスイッチＷについてタッチ操作がありと判定した場合には、主制御部７０は、音声出力部６１にて、「操作ミスがありましたので、操作をやり直してください」等の操作案内情報を出力するように構成されている。
【０１１２】
（シャワー浴予測条件の詳細）
主制御部７０が、以下の条件のいずれかが満たされると、シャワー浴予測条件が満たされた判定するように構成されている。
第１の条件は、浴室Ｄに給湯する給湯器Ｇの単位時間当たりの給湯量が、シャワー浴を行うときの給湯量に基づいて設定した設定閾値以上の場合には、シャワー浴予測条件が満たされた判定する条件である。
【０１１３】
具体的には、運転制御部Ｃが、一般給湯を行うときの水量センサ１４の検出流量を風呂リモコンＲ２に通信するように構成されている。
そして、主制御部７０が、水量センサ１４の検出流量が設定閾値以上の場合には、シャワー浴予測条件が満たされた判定することになる。
【０１１４】
第２の条件は、給湯器Ｇが自動湯張運転の実行後から設定時間が経過するまでの間に給湯する場合には、シャワー浴予測条件が満たされた判定する条件である。
設定時間は、例えば、１５〜６０分の間の適当な時間に設定される。
【０１１５】
具体的には、運転制御部Ｃが、自動湯張運転を終了したことを示す自動湯張運転終了情報や一般給湯を行っていることを示す一般給湯情報を、風呂リモコンＲ２に通信するように構成されている。
そして、主制御部７０が、自動湯張運転終了情報を受信した後、設定時間が経過するまでの間に、一般給湯情報を受信した場合には、シャワー浴予測条件が満たされた判定することになる。
【０１１６】
第３の条件は、風呂リモコンＲ２に優先状態が切換えられているときに、給湯器Ｇが給湯を行う場合には、シャワー浴予測条件が満たされた判定する条件である。
【０１１７】
具体的には、運転制御部Ｃが、一般給湯を行っていることを示す一般給湯情報を、風呂リモコンＲ２に通信するように構成されている。
そして、主制御部７０が、風呂リモコンＲ２が目標給湯温度を設定する優先状態に切換えられているときに、一般給湯情報を受信した場合には、シャワー浴予測条件が満たされた判定することになる。
【０１１８】
（実施形態のまとめ）
以上の通り、主制御部７０が、基本判定モードと誤判定回避モードとに切換るものであり、基本判定条件が、使用者によるタッチ操作を良好に判定することができる条件に設定され、誤判定回避用判定条件が、湯水が付着しても誤判定を起さないような条件に設定されるものであるから、誤判定回避モードにおいては、誤判定の発生を回避する必要上、操作性が低下することは否めないものの、基本判定モードにおいては、湯水付着による誤判定を回避する制約を受けないため、操作性を向上させることができるのであり、全体としては、湯水の付着による誤判定を回避しながらも、操作性を向上できるのである。
【０１１９】
また、主制御部７０が、浴室Ｄでのシャワー浴が予測されるシャワー浴予測条件が満たされない場合には、基本判定モードに自動的に切換り、浴室Ｄでのシャワー浴が予測されるシャワー浴予測条件が満たされる場合には、誤判定回避モードに自動的に切換るものであるから、基本判定モードと誤判定回避モードとに切換える特別な操作を要することなしに、湯水の付着による誤判定を回避しながら操作性を向上させることができる。
【０１２０】
〔第２実施形態〕
次に、第２実施形態を説明するが、この第２実施形態は、誤判定回避モードの設定回避用判定条件の別実施形態を示すものであって、その他の構成は、上記第１実施形態と同様であるため、以下、第１実施形態と異なる構成を説明する。
【０１２１】
すなわち、基本判定モードの基本判定条件が、上記第１実施形態と同様に、タッチスイッチＷのうちで、静電容量値がタッチ操作の有りと判定する設定判定値以上に変化しているタッチスイッチＷについては、タッチ操作が有りと判定する条件である。
ちなみに、設定判定値は、タッチスイッチＷの感度に応じて設定されることになる。
【０１２２】
これに対して、誤判定回避モードの誤判定回避用判定条件が、複数のタッチスイッチＷのうちで、静電容量値が設定判定値以上に変化している変化時間が誤判定回避用時間以上であるタッチスイッチＷについては、タッチ操作が有りと判定する条件である。
ちなみに、誤判定回避用時間は、例えば、５００〜７００ｍｍＳ程度に設定されることになる。
【０１２３】
この第２実施形態では、誤判定回避モードにおいて、シャワー浴によりタッチスイッチＷに湯水が付着しても、付着した湯水が直ちに流れ落ちることになるから、静電容量値が設定判定値以上に変化している変化時間が誤判定回避用時間以上とならないため、湯水付着による誤判定を回避しながらも、操作対象のタッチスイッチＷを誤判定回避用時間以上に亘ってタッチ操作することにより、操作対象のタッチスイッチＷについてタッチ操作が有りと判定されることになる。
【０１２４】
したがって、誤判定回避モードにおいては、湯水に付着による誤判定を的確に回避しながら、基本判定モードにおいては、操作対象のタッチスイッチＷを瞬間的にタッチ操作することにより、操作対象のタッチスイッチＷについて、タッチ操作が有りと的確に判定されることになるのであり、湯水の付着による誤判定を的確に回避しながらも、操作性を適切に向上させることができる。
【０１２５】
〔別実施形態〕
次に別実施形態を列記する。
（１）上記第１及び第２実施形態においては、メインリモコンＲ１と風呂リモコンＲ２とを同様に構成する場合を例示したが、メインリモコンＲ１と風呂リモコンＲ２とを異なる形態に構成して実施してもよい。
ちなみに、メインリモコンＲ１を静電容量式のタッチスイッチＷを装備する形態に構成する場合において、このメインリモコンＲ１には、シャワー浴による湯水が付着することがないため、誤判定回避モードを備えさせる必要はない。
【０１２６】
（２）上記第１及び第２実施形態においては、第１〜第３の条件の全てに基づいて、シャワー浴予測条件が満たされていることを判別するようにしたが、第１〜第３の条件のうちの選択した一つの条件や、第１〜第３の条件のうちの選択した２つの条件に基づいて、シャワー浴予測条件が満たされていることを判別するように構成してもよい。
【０１２７】
（３）上記第１及び第２実施形態においては、給湯器Ｇの機能を有効利用しながら、第１〜第３の条件の全てに基づいて、シャワー浴予測条件が満たされていることを判別するようにしたが、例えば、シャワーヘッド６の内部に、湯水の流動を検出する通流センサを設けて、この通流センサが湯水の流動を検出する場合には、シャワー浴予測条件が満たされていると判別するように構成する等、シャワー浴予測条件が満たされているか否かを判別する構成は種々変更できる。
【０１２８】
（４）上記第１及び第２実施形態においては、静電容量式のタッチスイッチＷとして、絶縁性の板状カバー体６６の内面に電極Ｅを装備して、指先が電極Ｅに近づくことによる静電容量の増加を検出する、いわゆる自己キャパスタ方式のタッチスイッチＷを用いる場合を例示したが、一対の電極をそれらの間の電磁界を形成するように装備して、電磁界に指先が近づくことによる静電容量の減少を検出する、いわゆる相互キャパスタ方式のタッチスイッチＷを用いてもよい。
【０１２９】
（５）上記第１及び第２実施形態においては、給湯器Ｇが、浴槽Ｙに設定目標温度の湯を目標設定水位に給湯する形態で自動湯張運転を実行する場合を例示したが、浴槽Ｙに設定目標温度の湯を設定目標給湯量にて給湯する形態で自動湯張運転を実行する場合においても、本発明は適用できる。
【０１３０】
（６）上記第１及び第２実施形態においては、基本判定条件を、複数のタッチスイッチＷのうちで、静電容量値がタッチ操作の有りと判定する設定判定値以上に変化しているタッチスイッチについては、タッチ操作が有りと判定する条件に定める場合を例示したが、基本判定条件を、複数のタッチスイッチＷのうちで、静電容量値がタッチ操作の有りと判定する設定判定値以上に変化している変化時間が設定基準時間以上であるタッチスイッチＷについては、タッチ操作が有りと判定する条件に定めてもよい。
この場合には、第２実施形態の誤判定回避用判定条件における誤判定回避用時間を、設定基準時間よりも長い時間に定めるとよい。
【０１３１】
（７）上記第１及び第２実施形態においては、本発明の浴用操作装置を用いて風呂リモコンＲ２を構成する場合を例示したが、本発明の浴用操作装置は、浴室暖房乾燥器のリモコンや浴室内に設置したテレビのリモコンを構成するのに用いる等、浴室内に設置して使用する各種の操作機器を構成するのに適用できる。
【符号の説明】
【０１３２】
７０        操作判定手段
Ｄ          浴室
Ｇ          給湯器
Ｒ１        メインリモコン
Ｒ２        風呂リモコン
Ｗ          タッチスイッチ
Ｙ          浴槽
【図１】
2015172459.tif 000003
【図２】
2015172459.tif 000004
【図３】
2015172459.tif 000005
【図４】
2015172459.tif 000006